(57)【特許請求の範囲】
【請求項１】
撮像手段が撮像した商品の画像を取り込む画像取込手段と、
前記画像取込手段が取り込んだ画像に含まれるコードシンボルを検出するコード検出手段と、
前記画像取込手段が取り込んだ画像に含まれる表示ラベルを検出するラベル検出手段と、
前記コードシンボルと前記表示ラベルとの相対的な位置関係を定義した定義ファイルを記憶する記憶手段と、
前記定義ファイルに定義された前記コードシンボル及び前記表示ラベル全体の大きさ又は向きを、相対的な位置関係を維持した状態で調整する調整手段と、
前記画像中から検出された前記コードシンボル及び前記表示ラベルの位置関係と、前記調整手段で調整された前記コードシンボル及び前記表示ラベルの位置関係とを比較し、両位置関係が一致するか否かを判定する判定手段と、
前記判定手段が一致と判定した場合に、前記コード検出手段が検出したコードシンボルが保持するコード情報と、前記ラベル検出手段が検出した表示ラベルに対応するラベル情報とを外部装置に送信し、前記判定手段が不一致と判定した場合に、前記コード情報を前記外部装置に送信する送信手段と、
を備えたことを特徴とする商品コード読取装置。
【請求項２】
前記判定手段が不一致と判定した場合に、前記表示ラベルが非正規の位置に付されている旨を報知する報知手段を更に備える請求項１に記載の商品コード読取装置。
【請求項３】
前記判定手段が不一致と判定した場合に、前記ラベル情報の送信を行うか否かをオペレータに確認し、当該オペレータからの指示を受け付ける確認手段を更に備え、
前記送信手段は、前記確認手段が送信を行う旨の指示を受け付けた場合に、前記コード情報とともに、前記ラベル情報を前記外部装置に送信する請求項１又は２に記載の商品コード読取装置。
【請求項４】
前記送信手段は、前記確認手段が送信を行わない旨の指示を受け付けた場合に、前記コード情報を前記外部装置に送信する請求項３に記載の商品コード読取装置。
【請求項５】
コンピュータを、
撮像手段が撮像した商品の画像を取り込む画像取込手段と、
前記画像取込手段が取り込んだ画像に含まれるコードシンボルを検出するコード検出手段と、
前記画像取込手段が取り込んだ画像に含まれる表示ラベルを検出するラベル検出手段と、
前記コードシンボルと前記表示ラベルとの相対的な位置関係を定義した定義ファイルに基づき、当該コードシンボル及び当該表示ラベル全体の大きさ又は向きを、相対的な位置関係を維持した状態で調整する調整手段と、
前記画像中から検出された前記コードシンボル及び前記表示ラベルの位置関係と、前記調整手段で調整された前記コードシンボル及び前記表示ラベルの位置関係とを比較し、両位置関係が一致するか否かを判定する判定手段と、
前記判定手段が一致と判定した場合に、前記コード検出手段が検出したコードシンボルが保持するコード情報と、前記ラベル検出手段が検出した表示ラベルに対応するラベル情報とを外部装置に送信し、前記判定手段が不一致と判定した場合に、前記コード情報を前記外部装置に送信する送信手段と、
して機能させるためのプログラム。
【発明の詳細な説明】
【技術分野】
【０００１】
本発明の実施形態は、商品コード読取装置及びプログラムに関する。
【背景技術】
【０００２】
従来、スーパーマーケット等の小売店では、生鮮品の廃棄ロスを削減するために、閉店時間が近付くと商品を値引して販売することが行われている。この場合、店側は、値引額等のサービス内容を表示したラベル（以下、サービス表示ラベルという）を商品の所定位置に貼付することで、顧客に値引対象商品であることを明示している。また、ＰＯＳ（Point  Of  Sales）端末のオペレータは、顧客が買上げる商品にサービス表示ラベルが貼付されている場合に、スキャナで当該商品のバーコードを読み取るとともに、キーボードやタッチパネル等を操作することでサービス表示ラベルに応じたサービス（値引等）を提供している。
【０００３】
また、バーコードの読み取りに関し、ＣＣＤ等のイメージセンサを用いて、バーコード及びサービス表示ラベルを撮像し、この撮像した画像から読み取った商品コード及び値引等に関する情報をＰＯＳ端末に出力することで、ＰＯＳ端末における値引処理を自動的に行う技術が知られている。
【発明の概要】
【発明が解決しようとする課題】
【０００４】
しかしながら、上述した従来の技術では、悪意ある顧客等により非正規の位置に不正なサービス表示ラベルが貼付された場合に、このサービス表示ラベルを正規のサービス表示ラベルとして処理してしまう可能性があり、更なる改善の余地があった。
【課題を解決するための手段】
【０００５】
実施の形態の商品コード読取装置は、画像取込手段と、コード検出手段と、ラベル検出手段と、記憶手段と、調整手段と、判定手段と、送信手段とを備えている。画像取込手段は、撮像手段が撮像した商品の画像を取り込む。コード検出手段は、前記画像取込手段が取り込んだ画像に含まれるコードシンボルを検出する。ラベル検出手段は、前記画像取込手段が取り込んだ画像に含まれる表示ラベルを検出する。記憶手段は、前記コードシンボルと前記表示ラベルとの相対的な位置関係を定義した定義ファイルを記憶する。調整手段は、前記定義ファイルに定義された前記コードシンボル及び前記表示ラベル全体の大きさ又は向きを、相対的な位置関係を維持した状態で調整する。判定手段は、前記画像中から検出された前記コードシンボル及び前記表示ラベルの位置関係と、前記調整手段で調整された前記コードシンボル及び前記表示ラベルの位置関係とを比較し、両位置関係が一致するか否かを判定する。送信手段は、前記判定手段が一致と判定した場合に、前記コード検出手段が検出したコードシンボルが保持するコード情報と、前記ラベル検出手段が検出した表示ラベルに対応するラベル情報とを外部装置に送信し、前記判定手段が不一致と判定した場合に、前記コード情報を前記外部装置に送信する。
【図面の簡単な説明】
【０００６】
【図１】図１は、チェックアウトシステムの構成を概略的に示す斜視図である。
【図２】図２は、ＰＯＳ端末及びコード読取装置の構成を示すブロック図である。
【図３】図３は、撮像部の撮像領域と商品との関係の一例を示す図である。
【図４】図４は、サービス表示ラベルの他の例を示す図である。
【図５】図５は、サービス表示ラベルの他の例を示す図である。
【図６】図６は、ラベル特徴ファイルを説明するための図である。
【図７】図７は、貼付位置定義ファイルに定義された位置関係を模式的に示す図である。
【図８】図８は、商品に付されたバーコード及び値引ラベルの位置関係と、貼付位置定義ファイルに定義されたコード位置及びラベル位置の位置関係とを説明するための図である。
【図９】図９は、商品に付されたバーコード及び値引ラベルの位置関係と、貼付位置定義ファイルに定義されたコード位置及びラベル位置の位置関係とを説明するための図である。
【図１０】図１０は、コード読取装置が行う情報出力処理の手順を示すフローチャートである。
【図１１】図１１は、コード読取装置のオペレータ用表示器に表示される画面の一例を示す図である。
【発明を実施するための形態】
【０００７】
以下図面を参照し、チェックアウトシステムを例に本実施形態にかかる商品コード読取装置及びプログラムを説明する。なお、本実施形態では、飲食店やスーパーマーケット等の店舗に導入されたチェックアウトシステムに適用した例について説明する。
【０００８】
図１は、本実施形態に係るチェックアウトシステムの構成を概略的に示す斜視図である。図１に示すように、チェックアウトシステムは、ＰＯＳ端末１００と商品コード読取装置２００とを備える。
【０００９】
ＰＯＳ端末１００は、顧客が購入する商品の販売登録を行うための商品情報処理装置であって、チェックアウト台１１に載置されている。ＰＯＳ端末１００は、キーボード１０１と、オペレータ用の表示器１０２と、顧客用の表示器１０３と、プリンタ１０４と、ドロワ１０５とを備えている。なお、ＰＯＳ端末１００が備える各部については後述する。
【００１０】
また、チェックアウト台１１とＬ字を形成するようにして、横長テーブル状のカウンタ台１２が配置されている。カウンタ台１２の上面には、荷受面１３が形成されている。商品コード読取装置２００は、この荷受面１３に載置され、有線又は無線によりＰＯＳ端末１００との間で通信可能に接続されている。
【００１１】
商品コード読取装置２００は、商品に貼付されたバーコードを読み取り、該バーコードが保持する商品コードをＰＯＳ端末１００に送信（出力）するための装置である。図１に示すように、商品コード読取装置２００は、読取窓２０１と、キーボード２０２と、オペレータ用の表示器２０３と、顧客用の表示器２０４とを備えている。なお、商品コード読取装置２００が備える各部については後述する。
【００１２】
荷受面１３には、後述するコードラベルやサービス表示ラベルが貼付された各商品Ｇを収納する買物カゴ１４が載置される。買物カゴ１４は、顧客によって持ち込まれる第１の買物カゴ１４ａと、第１の買物カゴ１４ａから商品コード読取装置２００を挟んだ位置に載置される第２の買物カゴ１４ｂとに分別される。
【００１３】
顧客によって持ち込まれた第１の買物カゴ１４ａには、一取引にかかる商品Ｇが収納されている。商品Ｇには、バーコードや二次元コード等のコードシンボルを表したコードラベルや、値引やポイント付加等を表した後述するサービス表示ラベルが貼付されている。コードシンボルには、商品Ｇに関する商品コードが符号化された状態で保持されている。ここで商品コードは、商品Ｇを特定するために各商品に割り当てられたコードであり、一例としてＪＡＮコードがある。
【００１４】
第１の買物カゴ１４ａ内の商品Ｇは、商品コード読取装置２００を操作するオペレータにより第２の買物カゴ１４ｂへと移動される。この移動過程で、コードラベル及びサービス表示ラベルが商品コード読取装置２００の読取窓２０１に向けられる。この際、読取窓２０１内に設けられた後述する撮像部２１６（図２参照）は、コードラベルやサービス表示ラベルを撮像する。
【００１５】
商品コード読取装置２００では、撮像部２１６により撮像された画像に含まれるコードシンボルを検出しデコード（復号）することで、商品Ｇに関する商品コードを読み取る。なお、本実施形態ではコードシンボルとしてバーコードを用いた例を説明するが、これに限らず二次元コードを用いる形態としてもよい。
【００１６】
次に、図２を参照して、チェックアウトシステムの構成について説明する。ここで、図２は、ＰＯＳ端末１００及び商品コード読取装置２００の構成を示すブロック図である。
【００１７】
図２に示すように、ＰＯＳ端末１００は、情報処理を実行するマイクロコンピュータとして、ＣＰＵ（Central  Processing  Unit）１１１、ＲＯＭ（Read  Only  Memory）１１２及びＲＡＭ（Random  Access  Memory）１１３を備えている。
【００１８】
ＣＰＵ１１１は、ＲＯＭ１１２や後述する記憶部１１４に記憶された各種プログラムを実行することにより、ＰＯＳ端末１００を統括的に制御する。ＲＯＭ１１２は、基本動作を行うためのプログラムが記憶される。ＲＡＭ１１３は、ＰＯＳ端末１００の主記憶装置であって、ＣＰＵ１１１のワークエリアとして機能する。
【００１９】
また、ＣＰＵ１１１には、各種の入出力回路（図示せず）を介して、上述したキーボード１０１、表示器１０２、表示器１０３、プリンタ１０４及びドロワ１０５が接続されている。
【００２０】
キーボード１０１は、ＰＯＳ端末１００を操作するオペレータから入力されたキーの情報（以下、キー情報という）をＣＰＵ１１１に通知する入力デバイスである。このキーボード１０１には、数字や演算子を入力するためのテンキーや、商品代金の決済に必要な締めキー等の各種操作キーが配設されている。
【００２１】
表示器１０２及び表示器１０３は、ＬＣＤ（Liquid  Crystal  Display）等の表示デバイスを有し、ＣＰＵ１１１の指示に基づいて商品の名称や価格等の各種の情報を表示する。ここで、表示器１０２は、ＰＯＳ端末１００を操作するオペレータ用の表示器であって、その表示面がオペレータに向けて配置されている（図１参照）。また、表示器１０３は、顧客用の表示器であって、その表示面が顧客に向けて配置されている（図１参照）。なお、表示器１０２をタッチパネル構成とすることで、キーボード１０１の全てのキー又は一部のキーをタッチパネル上に実現する形態としてもよい。
【００２２】
プリンタ１０４は、サーマルプリンタ等の印刷装置であって、ＣＰＵ１１１の制御に従い、レシートやジャーナル等を印字する。ドロワ１０５は、現金等を収容するためのキャッシュドロワであって、ＣＰＵ１１１の制御に従い開閉する。
【００２３】
また、ＣＰＵ１１１には、各種の入出力回路（図示せず）を介して、記憶部１１４及び通信Ｉ／Ｆ１１５が接続されている。
【００２４】
記憶部１１４は、ＨＤＤ（Hard  Disk  Drive）やフラッシュメモリ等の記憶媒体であって、ＣＰＵ１１１が実行可能なプログラム１１４ａや各種ファイルを記憶している。記憶部１１４に記憶されるプログラム１１４ａの例としては、商品の販売登録処理用のプログラムが挙げられる。また、記憶部１１４に記憶されるファイルの例としては、ＰＬＵファイル１１４ｂ等が挙げられる。ここで、ＰＬＵファイル１１４ｂは、各商品にユニークに割り当てられた商品コードと、その商品の名称、価格、商品分類等の商品に関する情報とを対応付けて管理するためのファイルである。
【００２５】
通信Ｉ／Ｆ１１５は、商品コード読取装置２００とデータ通信を行うためのインタフェースである。ＣＰＵ１１１は、この通信Ｉ／Ｆ１１５を介し、商品コード読取装置２００との間で種々のデータを送受信する。
【００２６】
一方、商品コード読取装置２００も、情報処理を実行するマイクロコンピュータとして、ＣＰＵ２１１、ＲＯＭ２１２及びＲＡＭ２１３を備えている。
【００２７】
ＣＰＵ２１１は、ＲＯＭ２１２や後述する記憶部２１７に記憶された各種プログラムを実行することにより、商品コード読取装置２００を統括的に制御する。ＲＯＭ２１２は、基本動作を行うためのプログラムが記憶される。ＲＡＭ２１３は、商品コード読取装置２００の主記憶装置であって、ＣＰＵ２１１のワークエリアとして機能する。
【００２８】
また、ＣＰＵ２１１には、各種の入出力回路（図示せず）を介して、上述したキーボード２０２、表示器２０３及び表示器２０４が接続されている。
【００２９】
キーボード２０２は、商品コード読取装置２００を操作するオペレータから入力されたキー情報をＣＰＵ２１１に通知する入力デバイスである。このキーボード２０２は、販売個数の入力や、バーコードを読み取ることができない商品の商品コードの入力を行う場合等に用いられる。
【００３０】
表示器２０３及び表示器２０４は、ＬＣＤ等の表示デバイスを有し、ＣＰＵ２１１の指示に基づいて商品の名称や価格等の各種の情報を表示する。ここで、表示器２０３は、商品コード読取装置２００を操作するオペレータ用の表示器であって、その表示面がオペレータに向けて配置されている（図１参照）。また、表示器２０４は、顧客用の表示器であって、その表示面が顧客に向けて配置されている（図１参照）。なお、表示器２０３をタッチパネル構成とすることで、キーボード２０２の全てのキー又は一部のキーを該タッチパネル上に実現する形態としてもよい。
【００３１】
また、ＣＰＵ２１１には、各種の入出力回路（図示せず）を介して、通信Ｉ／Ｆ２１４、計時部２１５、撮像部２１６及び記憶部２１７が接続されている。
【００３２】
通信Ｉ／Ｆ２１４は、ＰＯＳ端末１００とデータ通信を行うためのインタフェースである。ＣＰＵ２１１は、この通信Ｉ／Ｆ２１４を介し、ＰＯＳ端末１００との間で種々のデータを送受信する。計時部２１５は、ＲＴＣ等の計時装置であって、現在日時（時間）をＣＰＵ２１１に出力する。
【００３３】
撮像部２１６は、ＣＣＤ（Charge  Coupled  Device）やＣＭＯＳ（Complementary  Metal  Oxide  Semiconductor）等のイメージセンサであって、図１に示した読取窓２０１内に設けられている。また、撮像部２１６は、ＣＰＵ２１１の制御に従い、商品に付されたコードシンボルやサービス表示ラベルを撮像する。
【００３４】
ここで、図３を参照して、撮像部２１６の撮像領域と商品Ｇとの関係について説明する。図３は、撮像部２１６の撮像領域と商品Ｇとの関係の一例を示す図である。図中２点鎖線で囲った領域は、撮像部２１６が１フレームで撮像できる領域である撮像領域２１６ａである。また、図３に示す商品Ｇには、コードラベルＣＬに加えて、サービス表示ラベルの一例である値引ラベルＳＬ１が貼付されている。
【００３５】
コードラベルＣＬには、商品名「豚バラうす切り」や商品価格「２００円」の他、コードシンボルとしてバーコードＢＣ等が表されている。また、バーコードＢＣの下部には、このバーコードＢＣに組み込まれている商品コードの数値「２１０１２３４５６７８９０」が表されている。
【００３６】
また、値引ラベルＳＬ１には、商品Ｇに関する値引額を示す文字情報「表示価格より５０円引き」が表示されている。なお、サービス表示ラベルとしては、商品Ｇに付され、商品Ｇの購入時に付与されるサービスに関するサービスを表示しているものであればよい。サービス表示ラベルの他の例としては、図４に示すように、商品Ｇの値引率を表示した値引ラベルＳＬ２や、図５に示すように、割増して付与するポイント数を表示したポイント割増ラベルＳＬ３等が挙げられる。なお、サービス表示ラベルをロゴタイプ（logotype）等で表す形態としてもよい。
【００３７】
図２に戻り、記憶部２１７は、ＨＤＤやフラッシュメモリ等の記憶媒体であって、ＣＰＵ２１１が実行可能なプログラム２１７ａや、各種ファイルを記憶している。ここで、記憶部２１７に記憶されるプログラム２１７ａの例としては、撮像部２１６の制御用プログラムや、コードシンボル読取用のプログラム、ＯＣＲやパターンマッチング等の画像や文字認識用のプログラム等が挙げられる。また、記憶部２１７は、商品コード読取装置２００の動作に必要なファイルとして、ラベル特徴ファイル２１７ｂと、貼付位置定義ファイル２１７ｃとを保持している。
【００３８】
ラベル特徴ファイル２１７ｂは、サービス表示ラベルの特徴と、サービス表示ラベルが示すサービスの内容とを対応付けたデータテーブルである。ここで、図６は、ラベル特徴ファイル２１７ｂを説明するための図である。同図に示すように、ラベル特徴ファイル２１７ｂは、サービス表示ラベルが含む文字やシンボルの特徴を示したラベル特徴データと、当該サービス表示ラベルに対応するラベル情報として、このサービス表示ラベルによって商品に付与されるサービス内容を示したサービス情報と、を対応付けて記憶している。
【００３９】
より詳細には、ラベル特徴データとは、サービス表示ラベルからパターン認識やＯＣＲ等の認識処理によって抽出される情報である。即ち、図３に示すように、「表示価格より５０円引き」と記載された値引ラベルＳＬ１については、図６のラベル特徴ファイル２１７ｂにおいてＮｏ．１のラベル特徴データに示すように、「５０、円、引」という情報がパターン認識や文字認識処理によって抽出される。同様に、図４、図５に示す値引ラベルＳＬ２、ポイント割増ラベルＳＬ３に対しても、図６のＮｏ．２、Ｎｏ．３のラベル特徴データに示すように、「１０、％、引」や「１０、ポイント」という値引やポイント付与に関する情報が抽出される。
【００４０】
また、サービス情報とは、サービス表示ラベルから読み取った値引やポイント付与等のサービス内容に関する情報を、ＰＯＳ端末１００の販売登録処理において使用できるよう英数値に変換した情報のことである、即ち、図６に示すように、ラベル特徴データ「５０、円、引」に対しては、５０円の値引を意味するサービス情報「−５０ＹＥＮ」が対応付けて記憶されている。また、ラベル特徴データ「１０、％、引」に対しては、１０％の値引を意味するサービス情報「−１０％」が対応付けて記憶されている。さらに、ラベル特徴データ「１０、ポイント」に対しては、１０ポイントのポイント割増を意味するサービス情報「＋１０Ｐ」が対応付けて記憶されている。
【００４１】
貼付位置定義ファイル２１７ｃは、商品Ｇに付されるコードシンボル（バーコード）と、サービス表示ラベルとの相対的な位置関係を定義したデータを保持するファイルである。貼付位置定義ファイル２１７ｃに定義されるコードシンボルとサービス表示ラベルとの位置関係は、サービス表示ラベルの正規の貼付位置を定めるためのものであって、後述する貼付位置判定部２２４は、この貼付位置定義ファイル２１７ｃに定義された位置関係に基づいてサービス表示ラベルが正規の位置に貼付されているか否かを判定する。
【００４２】
ここで、図７は、貼付位置定義ファイル２１７ｃが保持するデータの一例を模式的に示した図である。同図では、コードシンボルの存在位置（以下、コード位置ＣＰという）と、サービス表示ラベルの存在位置（以下、ラベル位置ＬＰという）との相対的な位置関係を示しており、コード位置ＣＰとラベル位置ＬＰとが略並列に所定の間隙を隔てて配置されている。なお、同図では、実際のコードシンボルの大きさに準じてコード位置ＣＰ（斜線範囲）を定めているため、当該コード位置ＣＰの大きさからラベル位置ＬＰとの離間距離を特定することができる。
【００４３】
次に、商品コード読取装置２００が有する特徴的な機能について説明する。ＣＰＵ２１１は、ＲＯＭ２１２や記憶部２１７が記憶するプログラムとの協働により、図２に示すように、画像データ取込部２２１、コード読取部２２２、ラベル読取部２２３、貼付位置判定部２２４及び情報出力部２２５を実現させる。
【００４４】
画像データ取込部２２１は、撮像部２１６に撮像オン信号を出力することで撮像部２１６に撮像動作を開始させる。画像データ取込部２２１は、撮像部２１６が撮像した撮像領域２１６ａ内の画像データを取り込んで、ＲＡＭ２１３に格納する。また、画像データ取込部２２１は、ラベル読取部２２３の指示を受けた場合に、撮像部２１６が撮像した撮像領域２１６ａ内の画像データを取り込んで、ＲＡＭ２１３に格納する。
【００４５】
コード読取部２２２は、画像データ取込部２２１がＲＡＭ２１３に格納した画像データから、バーコードの画像を検出し、該バーコードが保持する商品コードを読み取るバーコード読取処理を行う。具体的に、コード読取部２２２は、ＲＡＭ２１３に格納された１フレームの画像データを二値化し、この二値化したデータ内にバーコードに関するデータ領域が存在するか否かを検出する。コード読取部２２２は、バーコードに関するデータ領域を検出した場合には、そのバーコードをデコードし、デコードしたデータを商品Ｇの商品コードとして読み取る。そして、コード読取部２２２は、読み取った商品コードをＲＡＭ２１３に格納する。
【００４６】
ラベル読取部２２３は、画像データ取込部２２１がＲＡＭ２１３の画像ワークエリアに格納した１フレームの画像データから、サービス表示ラベルの画像を検出するラベル読取処理を行う。このラベル読取処理では、ラベル読取部２２３は、パターン認識やＯＣＲ文字認識によりサービス表示ラベルが含む文字や絵やシンボル等の特徴と、ラベル特徴ファイル２１７ｂのラベル特徴データ（図６参照）とを照合し、一致度の高いラベル特徴データを検出した場合に、サービス表示ラベルを検出したと判定する。そして、ラベル読取部２２３は、サービス表示ラベルの画像を検出すると、この検出したラベル特徴データに該当するサービス情報を貼付位置定義ファイル２１７ｃから読み取り、この読み取ったサービス情報をＲＡＭ２１３に格納する。
【００４７】
貼付位置判定部２２４は、画像データ取込部２２１により取り込まれた１フレームの画像データからコード読取部２２２が検出したバーコードの検出位置と、当該画像データかたラベル読取部２２３が検出したサービス表示ラベルの検出位置とに基づいて、バーコードとサービス表示ラベルとの相対的な位置関係と特定する。
【００４８】
また、貼付位置判定部２２４は、特定したバーコードとサービス表示ラベルとの相対的な位置関係と、貼付位置定義ファイル２１７ｃに定義されたコード位置ＣＰとラベル位置ＬＰとの位置関係とを比較し、両位置関係が一致（又は略一致）するか否かを判定する。そして、貼付位置判定部２２４は、両位置関係が一致すると判定した場合に、サービス表示ラベルが正規の位置に貼付されていると判断し、このサービス表示ラベルのサービス情報を情報出力部２２５からＰＯＳ端末１００に送信させる。
【００４９】
一方、貼付位置判定部２２４は、両位置関係が不一致と判定した場合に、サービス表示ラベルが正規の位置に貼付されていないと判断し、その旨を報知するメッセージをオペレータ用の表示器２０３に表示する。そして、貼付位置判定部２２４は、サービス情報の送信を行うか否かをオペレータに確認する画面を表示器２０３に表示し、オペレータからの指示に応じて、このサービス表示ラベルのサービス情報を情報出力部２２５からＰＯＳ端末１００に送信させる。
【００５０】
以下、図８及び図９を参照して、貼付位置判定部２２４の動作について説明する。ここで、図８及び図９は、商品Ｇに付されたバーコードＢＣ及び値引ラベルＳＬ１の位置関係と、貼付位置定義ファイル２１７ｃに定義されたコード位置ＣＰ及びラベル位置ＬＰの位置関係とを説明するための図である。なお、バーコードＢＣ及び値引ラベルＳＬ１は、同一の撮像領域２１６ａ内に含まれているものとする。
【００５１】
図８において、バーコードＢＣと値引ラベルＳＬ１との位置関係は、貼付位置定義ファイル２１７ｃに定義されたコード位置ＣＰとラベル位置ＬＰとの位置関係と一致している。この場合、貼付位置判定部２２４は、撮像領域２１６ａ内でのバーコードＢＣと値引ラベルＳＬ１との相対的な位置関係と、コード位置ＣＰとラベル位置ＬＰとの位置関係との比較結果から両位置関係が一致と判定する。そのため、貼付位置判定部２２４は、この値引ラベルＳＬ１から読み取られたサービス情報（−５０ＹＥＮ）を、情報出力部２２５からＰＯＳ端末１００に送信させる。
【００５２】
一方、図９では、バーコードＢＣと値引ラベルＳＬ１との位置関係は、貼付位置定義ファイル２１７ｃに定義されたコード位置ＣＰとラベル位置ＬＰとの位置関係と一致していない。この場合、貼付位置判定部２２４は、撮像領域２１６ａ内でのバーコードＢＣと値引ラベルＳＬ１との相対的な位置関係と、コード位置ＣＰとラベル位置ＬＰとの位置関係との比較結果から両位置関係が不一致と判定し、サービス情報の送信を抑制する。
【００５３】
なお、貼付位置判定部２２４は、貼付位置定義ファイル２１７ｃに定義されたコード位置ＣＰとラベル位置ＬＰとの相対的な位置関係を維持しつつ、コード位置ＣＰ及びラベル位置ＬＰ全体の回転や拡大／縮小を行うことで、実際に撮像されたバーコードＢＣ及び値引ラベルＳＬ１の位置関係と比較可能な状態に、コード位置ＣＰ及びラベル位置ＬＰを調整するものとする。
【００５４】
図２に戻り、情報出力部２２５は、ＲＡＭ２１３に格納された商品コードを、通信Ｉ／Ｆ２１４を介しＰＯＳ端末１００に送信（出力）する。また、情報出力部２２５は、貼付位置判定部２２４の制御に従い、ＲＡＭ２１３に格納されたサービス情報を、商品コードとともにＰＯＳ端末１００に送信する。
【００５５】
例えば、図３に示すように、商品Ｇに５０円引きの値引ラベルＳＬ１が貼付されていた場合、ラベル読取部２２３は、値引ラベルＳＬ１に該当するサービス情報「−５０ＹＥＮ」を図６に示したラベル特徴ファイル２１７ｂから読み取り、サービス情報をＲＡＭ２１３に格納する。従って、商品コード読取装置２００は、貼付位置判定部２２４からサービス情報の送信が指示された場合、バーコードＢＣから読み取られた「２１０１２３４５６７８９０」を表わす商品コードと、「−５０ＹＥＮ」を表わすサービス情報との組をＰＯＳ端末１００に送信することになる。
【００５６】
一方、ＰＯＳ端末１００のＣＰＵ１１１では、商品コード読取装置２００から商品コードを受け付けると、ＰＬＵファイル１１４ｂを参照して、その商品コードに対応する商品の価格等を読み込む。さらにＰＯＳ端末１００は、商品コードとともにサービス情報を受け付けた場合には、そのサービス情報が表わすサービス内容に応じた処理を施す。例えば、サービス情報が「−５０ＹＥＮ」を表わす場合には、商品マスタに基づいて読み込んだ価格から５０円を値引して商品の販売登録を行う。
【００５７】
次に、図１０を参照して、本実施形態のチェックアウトシステムの動作について説明する。ここで、図１０は、商品コード読取装置２００が行う情報出力処理の手順を示すフローチャートである。
【００５８】
商品コード読取装置２００のＣＰＵ２１１は、ＰＯＳ端末１００から入力される所定の信号により業務起動が指示されると、情報出力処理を開始する。画像データ取込部２２１は、撮像部２１６に撮像オン信号を出力し、撮像部２１６による撮像動作を開始する（ステップＳ１１）。画像データ取込部２２１は、撮像部２１６が撮像した画像データをＲＡＭ２１３に取り込む（ステップＳ１２）。そして、コード読取部２２２は、上述したバーコード読取処理を開始する（ステップＳ１３）。
【００５９】
コード読取部２２２は、ステップＳ１３のバーコード読取処理においてバーコードを検出したか否かを判定する（ステップＳ１４）。バーコードを検出することができない場合には（ステップＳ１４；Ｎｏ）、ステップＳ１２に再び戻り、コード読取部２２２は撮像部２１６による撮像を継続する。
【００６０】
バーコードを検出した場合（ステップＳ１４：Ｙｅｓ）、ラベル読取部２２３は、ステップＳ１２でＲＡＭ２１３に取り込まれた画像データに対して、ラベル読取処理を開始する（ステップＳ１５）。そして、ラベル読取部２２３は、ステップＳ１３のラベル読取処理においてサービス表示ラベルを検出したか否かを判定する（ステップＳ１６）。ここで、ラベル読取部２２３がサービス表示ラベルを検出できない場合（ステップＳ１６；Ｎｏ）、ステップＳ２２に直ちに移行する。
【００６１】
また、ラベル読取部２２３がサービス表示ラベルを検出すると（ステップＳ１６：Ｙｅｓ）、貼付位置判定部２２４は、ステップＳ１３のバーコード読取処理で検出されたバーコードの画像と、ステップＳ１５のラベル読取処理で検出されたサービス表示ラベルの画像との相対的な位置関係と、貼付位置定義ファイル２１７ｃに定義されたコード位置ＣＰとラベル位置ＬＰとの位置関係とを比較する（ステップＳ１７）。ここで、両位置関係が一致と判定すると（ステップＳ１８；Ｎｏ）、貼付位置判定部２２４は、サービス表示ラベルが正規の位置に貼付されていると判断し、ステップＳ２３に移行する。
【００６２】
一方、両位置関係が不一致と判定すると（ステップＳ１８；Ｎｏ）、貼付位置判定部２２４は、サービス表示ラベルが正規の位置に貼付されていないと判断し、その旨を報知するメッセージを表示器２０３に表示する（ステップＳ１９）。続いて、貼付位置判定部２２４は、サービス情報の送信を行うか否かを商品コード読取装置２００のオペレータに確認する画面を表示し（ステップＳ２０）、オペレータからの入力を待機する（ステップＳ２１）。
【００６３】
ここで、図１１は、ステップＳ１９及びＳ２０で表示される表示画面の一例を示す図である。同図に示すように、サービス表示ラベルが非正規の位置に貼付されていることを報知するメッセージが表示器２０３に表示される。これにより、商品コード読取装置２００を操作するオペレータは、表示器２０３に表示されたこのメッセージにより、サービス表示ラベルが正規の位置に貼付されていないことを容易に把握することができる。
【００６４】
また、図１１において、選択ボタンＢ１１及びＢ１２は、サービス情報の送信を行うか否かを指示するためのボタンである。ここで、選択ボタンＢ１１は、サービス情報を送信することを指示するためのボタンであり、選択ボタンＢ１２は、サービス情報を送信しないことを指示するためのボタンである。なお、選択ボタンＢ１１、Ｂ１２の選択は、キーボード２０２やタッチパネル操作により行われるものとする。
【００６５】
図１０に戻り、貼付位置判定部２２４がサービス情報の非送信が指示されたと判定すると（ステップＳ２１；Ｎｏ）、ステップＳ２２に移行する。ステップＳ２２において、情報出力部２２５は、ＲＡＭ２１３に格納された商品コードを、通信Ｉ／Ｆ２１４を介してＰＯＳ端末１００に送信し（ステップＳ２２）、ステップＳ２４に移行する。
【００６６】
一方、サービス情報の送信が指示されたと判定すると（ステップＳ２１；Ｙｅｓ）、貼付位置判定部２２４は、情報出力部２２５に対しサービス情報の送信を指示する。次いで、情報出力部２２５は、ＲＡＭ２１３に格納された商品コード及びサービス情報を、通信Ｉ／Ｆ２１４を介してＰＯＳ端末１００に送信し（ステップＳ２３）、ステップＳ２４に移行する。
【００６７】
ステップＳ２４において、ＣＰＵ２１１は、ＰＯＳ端末１００から入力される所定の信号により取引の終了が指示されたか否かを判定する（ステップＳ２４）。ここで、取引終了が指示されない場合には（ステップＳ２４；Ｎｏ）、ステップＳ１２に再び戻り、ステップＳ１２〜Ｓ２３を全ての商品の販売登録が完了するまで繰り返し実行する。また、取引の終了が指示された場合（ステップＳ２４；Ｙｅｓ）、画像データ取込部２２１は、撮像部２１６に撮像オフ信号を出力し、撮像部２１６による撮像動作を停止した後（ステップＳ２５）、本処理を終了する。
【００６８】
以上のように、本実施形態の商品コード読取装置２００によれば、撮像部２１６が撮像した画像データに含まれるコードシンボル及びサービス表示ラベルの相対的な位置関係と、貼付位置定義ファイル２１７ｃに定義された位置関係とを比較することで、サービス表示ラベルが正規の位置に貼付されているか否かを判定するため、非正規の位置に貼付されたサービス表示ラベルを検出することができる。
【００６９】
また、位置関係が不一致と判定した場合に、サービス情報の送信を行うか否かをオペレータに確認し、送信を行う旨の指示を受け付けた場合に、商品コードとサービス情報との送信を行うことで、当該サービス情報に応じたサービスを提供することができる。これにより、顧客に対するサービスの提供を柔軟且つ円滑に進めることができる。
【００７０】
以上、本発明の実施形態について説明したが、本発明はこれに限定されるものではなく、本発明の主旨を逸脱しない範囲での種々の変更、置換、追加等が可能である。
【００７１】
例えば、上記実施形態では、コードシンボル及びサービス表示ラベルの相対的な位置関係が、貼付位置定義ファイル２１７ｃに定義された位置関係と一致しない場合、このサービス表示ラベルに対応するサービス情報の送信を商品コード読取装置２００のオペレータに確認する形態としたが、これに限らず、ステップＳ１９の後直ちにステップＳ２２に移行することで、オペレータへの確認を省略する形態としてもよい。
【００７２】
また、上記実施形態のＰＯＳ端末１００及び商品コード読取装置２００で実行されるプログラムを、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００７３】
また、上記実施形態のＰＯＳ端末１００及び商品コード読取装置２００で実行されるプログラムを、インターネット等のネットワークに接続されたコンピュータ上に格納し、ネットワーク経由でダウンロードさせることにより提供するように構成してもよい。また、上記実施形態のＰＯＳ端末１００及び商品コード読取装置２００で実行されるプログラムを、インターネット等のネットワーク経由で提供又は配布するように構成してもよい。
【符号の説明】
【００７４】
１１  チェックアウト台
１２  カウンタ台
１３  荷受面
１４、１４ａ、１４ｂ  買物カゴ
１００  ＰＯＳ端末
１０１  キーボード
１０２  表示器
１０３  表示器
１０４  プリンタ
１０５  ドロワ
１１１  ＣＰＵ
１１２  ＲＯＭ
１１３  ＲＡＭ
１１４  記憶部
１１４ａ  プログラム
１１４ｂ  ＰＬＵファイル
１１５  通信Ｉ／Ｆ
２００  商品コード読取装置
２０１  読取窓
２０２  キーボード
２０３  表示器
２０４  表示器
２１１  ＣＰＵ
２１２  ＲＯＭ
２１３  ＲＡＭ
２１４  通信Ｉ／Ｆ
２１５  計時部
２１６  撮像部
２１７  記憶部
２１７ａ  プログラム
２１７ｂ  ラベル特徴ファイル
２１７ｃ  貼付位置定義ファイル
２２１  画像データ取込部
２２２  コード読取部
２２３  ラベル読取部
２２４  貼付位置判定部
２２５  情報出力部
【先行技術文献】
【特許文献】
【００７５】
【特許文献１】特開２００８−３３６４０公報
【図１】
0005599494.tif 000002
【図２】
0005599494.tif 000003
【図３】
0005599494.tif 000004
【図４】
0005599494.tif 000005
【図５】
0005599494.tif 000006
【図６】
0005599494.tif 000007
【図７】
0005599494.tif 000008
【図８】
0005599494.tif 000009
【図９】
0005599494.tif 000010
【図１０】
0005599494.tif 000011
【図１１】
0005599494.tif 000012